(57)【要約】【課題】  おもりの収納に手間のかからない鮎釣り用のおもり収納体の提供。【解決手段】  鮎釣り仕掛けに組付けられるおもりを収納するためのおもり収納体であって、ケース状の収納体本体に、該収納体本体を開閉するファスナが設けられるとともに、該ファスナとは別におもりを収納体本体の外部から通過のみ可能とするおもり通過部が収納体本体に設けられている構成。【選択図】  図１
2008173071.tif 000002
【特許請求の範囲】
【請求項１】
鮎釣り仕掛けに組付けられるおもりを収納するためのおもり収納体であって、ケース状の収納体本体に、該収納体本体を開閉するファスナが設けられるとともに、該ファスナとは別におもりを収納体本体の外部から通過を許容するおもり通過部が収納体本体に設けられていることを特徴とする鮎釣り用のおもり収納体。
【請求項２】
収納体本体がこれを釣人の身体に装着した際に釣人の身側に相当する内側面部と、該内側面部に対向する外側面部と、前記内側面部および外側面部に亘ってこれらを一体とするまち面部とを備え、通過部はまち面部に設けられていることを特徴とする請求項１記載の鮎釣り用のおもり収納体。
【請求項３】
ファスナはスライドファスナであってこれがまち面部の上部に、収納体本体のまち面部の幅方向と直交する方向である長手方向に亘って設けられ、通過部はスライドファスナの内側面部寄りの上部に配置されていることを特徴とする請求項２記載の鮎釣り用のおもり収納体。
【請求項４】
収納体本体が生地から構成され、内側面部とまち面部との接続部および外側面部とまち面部との接続部に生地の柔軟性を補う補強部材が設けられていることを特徴とする請求項２または請求項３に記載の鮎釣り用のおもり収納体。
【請求項５】
補強部材は硬質の樹脂製パイプから構成されていることを特徴とする請求項４記載の鮎釣り用のおもり収納体。
【請求項６】
通過部は収納体本体とは別部材の弾性体から形成されてしかも収納体本体に一体化されており、通過部には、常時は弾性的に閉じられおもりを通過させるときにのみおもりに押されることで弾性的に開放される穴が形成されていることを特徴とする請求項１ないし請求項５の何れかに記載の鮎釣り用のおもり収納体。
【請求項７】
穴は、通過部に形成された切込みから構成されていることを特徴とする請求項６記載の鮎釣り用のおもり収納体。
【請求項８】
直線状の切込みが複数本形成されておりしかも切込みどうし互いに交差していることを特徴とする請求項７記載の鮎釣り用のおもり収納体。
【請求項９】
通過部は所定の厚みをもってしかもまち面部の表面位置に対して段差をもって設けられていることを特徴とする請求項６ないし請求項８の何れかに記載の鮎釣り用のおもり収納体。
【請求項１０】
まち面部のうち少なくとも底面を構成する底面部がメッシュ構成とされていることを特徴とする請求項２ないし請求項９の何れかに記載の鮎釣り用のおもり収納体。
【請求項１１】
まち面部のうちの底面、および外側面部がメッシュ構成とされていることを特徴とする請求項２ないし請求項１０の何れかに記載の鮎釣り用のおもり収納体。
【請求項１２】
釣人の腰部に巻かれるベルトに着脱手段を介して着脱自在に取付けられることを特徴とする請求項１ないし請求項１１の何れかに記載の鮎釣り用のおもり収納体。
【請求項１３】
ベルトの長手方向に沿って移動自在に設けられていることを特徴とする請求項１２記載の鮎釣り用のおもり収納体。
【発明の詳細な説明】
【技術分野】
【０００１】
本発明は、例えば釣人の身体に装着するフィッシングベルトに取付けて使用する、鮎釣用のおもり収納体に関する。
【背景技術】
【０００２】
従来の鮎釣り用のおもり収納体としては、下記特許文献１に示すものがある。これはケース状に形成された収納体本体にファスナ（例えばスライドファスナが用いられる）を設けており、このファスナを開閉操作して鮎釣り仕掛けに用いるおもりを収納したり取出したりする構成を有している。
一般に鮎釣り（友釣り）では、釣人は釣果を得るために頻繁に川を上流側・下流側へ移動したり浅場・深場を移動したりすることがあり、囮鮎の動作のために移動した釣場の条件に応じて仕掛けに組付けるおもりを、その重さの異なるものに交換し、あるいは取外す操作が少なからず行われる。
【特許文献１】特開２００６−２３０３０８号公報
【発明の開示】
【発明が解決しようとする課題】
【０００３】
ところで、上記従来の鮎釣り用のおもり収納体では、仕掛けから取外したおもりを収納体本体に収納する場合には、ファスナを開いて収納する。そして釣果を得る機会を逃さないために釣人はできるだけおもりの取外しや交換のための動作を省きたいものである。
特に、それまで仕掛けにおもりを組付けていたが、釣果を得るために囮鮎を自由に泳がせることが必要である場合には、釣人は直ちにおもりを仕掛けから取外して収納体本体に収納するようにすることが肝要である。
しかしながら、上記従来の鮎釣り用のおもり収納体では、おもりの収納のためにはファスナを開く操作をしなければならなく、その分だけ手間がかかってしまうという課題がある。
【０００４】
本発明は上記課題に鑑み、おもりの収納に手間のかからない鮎釣り用のおもり収納体の提供を課題とする。
【課題を解決するための手段】
【０００５】
本発明は、鮎釣り仕掛けに組付けられるおもりを収納するためのおもり収納体であって、ケース状の収納体本体に、該収納体本体を開閉するファスナが設けられるとともに、該ファスナとは別におもりを収納体本体の外部から通過を許容するおもり通過部が収納体本体に設けられていることを特徴としている。
【０００６】
上記構成において、ファスナを開くことで収納体本体内が開放されるから、収納体本体内におもりを収納し、また、おもりを収納体本体内から取出すことができ、ファスナを閉じればおもりの収納状態を保持することができ、しかも鮎釣り仕掛けに組付けられているおもりを該鮎釣り仕掛けから外して、通過部を通過させることで、おもりを収納体本体の外部から通過させて収納体本体に収納させる。
【０００７】
本発明の鮎釣り用のおもり収納体では、収納体本体がこれを釣人の身体に装着した際に釣人の身側に相当する内側面部と、該内側面部に対向する外側面部と、前記内側面部および外側面部に亘ってこれらを一体とするまち面部とを備え、通過部はまち面部に設けられていることを特徴としている。
【０００８】
上記構成において、釣人は、おもりを収納体本体のまち面部に設けた通過部から収納体本体内に押込むようにして収納する。
【０００９】
本発明の鮎釣り用のおもり収納体では、ファスナはスライドファスナであってこれがまち面部の上部に、収納体本体のまち面部の幅方向と直交する方向である長手方向に亘って設けられ、通過部はスライドファスナの内側面部寄りの上部に配置されていることを特徴としている。
【００１０】
上記構成において、釣人はスライドファスナを長手方向に開閉して、おもりを収納体本体の上方から収納・取出しをすることが可能であるとともに、釣人の身側に配置した通過部から、おもりを収納体本体に収納することが可能となる。
【００１１】
本発明の鮎釣り用のおもり収納体では、収納体本体が生地から構成され、内側面部とまち面部との接続部および外側面部とまち面部との接続部に生地の柔軟性を補う補強部材が設けられていることを特徴としている。
【００１２】
上記構成の鮎釣り用のおもり収納体では、収納体本体が生地からなっていても、その柔軟性を補強部材で補われているから、例えば釣人がおもりを押込むようにして収納体本体に収納するようにしても、その押込み力によって収納体本体が大きく変形しておもりを収納しにくいという状態が回避される。
【００１３】
本発明の鮎釣り用のおもり収納体では、補強部材は硬質の樹脂製パイプから構成されていることを特徴としている。
上記構成のように補強部材を硬質の樹脂製パイプから形成していることにより、補強部材を加工し易くしかも必要な強度を得易い。
【００１４】
本発明の鮎釣り用のおもり収納体では、通過部は収納体本体とは別部材の弾性体から形成されてしかも収納体本体に一体化されており、通過部には、常時は弾性的に閉じられおもりを通過させるときにのみおもりに押されることで弾性的に開放される穴が形成されていることを特徴としている。
【００１５】
上記構成において、通過部を弾性体から形成していることから穴は弁式に開閉され、釣人はおもりを弾性体の弾性に抗して押込むようにすることで、ファスナを開くことなくおもりを収納体本体内に収納することができ、しかもおもりが収納体本体内に入ると、それを手指の感覚で確実に認識することが可能となる。
【００１６】
本発明の鮎釣り用のおもり収納体では、穴は、通過部に形成された切込みから構成されていることを特徴としている。
上記構成において、おもりを穴に押込むようにするとおもりの通過を許容するように切込みが開いておもりが収納体本体内に収納される。
【００１７】
本発明の鮎釣り用のおもり収納体では、直線状の切込みが複数本形成されておりしかも切込みどうし互いに交差していることを特徴としている。
上記構成において、切込みの交差部分は交差している分だけ弾性が低くなっているから、この交差部分からおもりを容易に押込んで、収納体本体内に収納することが可能になる。
【００１８】
本発明の鮎釣り用のおもり収納体では、通過部は所定の厚みをもってしかもまち面部の表面位置に対して段差をもって設けられていることを特徴としている。
この構成によれば、通過部とまち面部との段差によって、釣人は手指の感覚で通過部の存在を認識することが可能であるから、水中等、通過部を視認しにくい状態であっても、段差による手指の感覚でおもりを収納体本体内に収納することが可能となる。
【００１９】
本発明の鮎釣り用のおもり収納体では、まち面部のうち少なくとも底面を構成する底面部がメッシュ構成とされていることを特徴としている。
上記構成のように、底面部をメッシュ構成とすることにより、収納体本体内に水が入ったとしても、この水が排除され易くなる。
【００２０】
本発明の鮎釣り用のおもり収納体では、まち面部のうちの底面、および外側面部がメッシュ構成とされていることを特徴としている。
上記構成のように、まち面部のうちの底面、および外側面部をメッシュ構成とすることにより、収納体本体内に水が容易に入るから水抵抗が小さくなり、しかも入った水は容易に排出される。
【００２１】
本発明の鮎釣り用のおもり収納体は、釣人の腰部に巻かれるベルトに着脱手段を介して着脱自在に取付けられることを特徴としている。
上記構成によれば、鮎釣り用のおもり収納体をベルトを介して釣人の身に装着することができ、着脱手段によってベルトから鮎釣り用のおもり収納体を取外すことができる。
【００２２】
本発明の鮎釣り用のおもり収納体は、ベルトの長手方向に沿って移動自在に設けられるものであることを特徴としている。
上記構成によれば、鮎釣り用のおもり収納体を釣人が使い易い位置に移動させて使用することが可能になり、便利である。
【発明の効果】
【００２３】
本発明の鮎釣り用のおもり収納体によれば、ファスナとは別におもりを収納体本体の外部から通過を許容するおもり通過部を収納体本体に設けているから、おもりを通過部を通過させることで収納体本体の外部から通過させて収納体本体に収納させることができ、したがって、おもりの収納に手間がかからない。
【発明を実施するための最良の形態】
【００２４】
以下本発明の実施形態に係る鮎釣り用のおもり収納体を、図面に基づいて説明する。図１は本発明の鮎釣り用のおもり収納体の使用状態を示す斜視図、図２は鮎釣り用のおもり収納体の単体平面図、図３は図２における中央縦断面図である。
【００２５】
これらの図に示すように、本発明の実施形態に係るおもり収納体１は、外殻であるケース状（ポーチ状の袋形状）の収納体本体２と、この収納体本体２を釣人３の腰部４に巻くベルト５に着脱自在とベルト５の長手方向に沿って移動自在とするために収納体本体２の背面側（後述の内側面部７）に設けた着脱手段６とを有する。
【００２６】
収納体本体２は、着脱手段６によってベルト５に取付けられる側、すなわち釣人３の身側に相当する内側面部７と、この内側面部７に対向する外側面部８と、内側面部７および外側面部８に亘ってこれらを一体とするまち面部１０とを備えている。
なお収納体本体２は、全体が防水性を有する樹脂製の生地、例えばポリ塩化ビニル（ＰＶＣ）、ポリエステル繊維入りポリ塩化ビニル、ポリアミド（ＰＡ）、その他ポリエステル等から構成され、柔軟性に富んでいる。
【００２７】
まち面部１０のうち底面を構成する底面部１１および外側面部８、さらには内側面部７の下部がメッシュ生地（格子形状のメッシュ構成）とされている。
但し、外側面部８の高さ方向途中には、メッシュ生地とは別に長手方向の補強用生地１２が配置され、この補強用生地１２を介してその上下にメッシュ生地が縫着されている。
【００２８】
収納体本体２には、収納体本体２を開閉するスライドファスナ１３が設けられている。スライドファスナ１３はまち面部１０の外側面部８寄りに配置されている。このスライドファスナ１３は、まち面部１０の一方の側部から上部に延設されて他方の側部に亘るよう、まち面部１０をそのまち方向（幅方向）で二分可能とすべくテープ部１４ａ，１４ｂがまち面部１０に縫着されている。
換言すれば、スライドファスナ１３は、収納体本体２のまち面部１０のまち方向と直交する方向である長手方向に亘って設けられている。また、まち面部１０のうち、長手方向両側のスライドファスナ１３の始点部および終点部からその下方に亘るように、スライドファスナ１３による開口の範囲を制限するよう開口範囲規制生地１０ａが設けられている。
【００２９】
収納体本体２には、おもり１５をスライドファスナ１３の開閉とは無関係に収納体本体２内に収納することが可能なようにおもり１５の通過部１６が設けられている。
通過部１６は平面視矩形に形成されており、まち面部１０のうちその上面でスライドファスナ１３に対して内側面部７寄りに配置されている。通過部１６は、収納体本体２とは別部材の弾性体から形成されてしかも収納体本体２に、周辺部の縫着によって一体化されている。通過部１６は収納体本体２の生地に比べて厚く形成されており、まち面部１０に一体化されてまち面部１０の上面位置に対して段差面１７を有して設けられている。
【００３０】
通過部１６には、常時は弾性的に閉じられおもり１５を通過させるときにのみおもり１５に押されることで弾性的に開放される穴１８が形成されている。この穴１８はおもり１５を収納体本体２の外部から通過のみ可能とするもので、穴１８は直線状で通過部１６の厚みを貫通する切込み２０，２１が複数本（図では二本）形成されてなり、しかも切込み２０，２１どうしは、通過部１６に対角線状に交差するよう配置されている。
なお、まち面部１０において通過部１６を設けている部分においては、穴１８すなわち切込み２０，２１に対応する不図示の切込みが形成されている。
【００３１】
このような切込み２０，２１を形成していることにより、通過部１６には平面視してまち方向に対向する鈍角三角形と、長手方向に対向する鋭角三角形の弾性弁部２２，２３が形成されている。これら弾性弁部２２，２３はそれぞれ周辺部側の基部２２ａ，２３ａを中心として弾性的に回動自在となっている。
【００３２】
内側面部７とまち面部１０との接続部および外側面部８とまち面部１０との接続部に、収納体本体２の生地の柔軟性を補う補強部材２４が設けられている。補強部材２４は収納体本体２の生地に比べて硬質（剛性が高い）の樹脂から形成されており、断面が円筒状のパイプ部２５が表出するよう収納体本体２に縫着によって一体化されている。
【００３３】
前記着脱手段６は、上下対の着脱用帯片２６，２７と、両着脱用帯片２６，２７どうしを着脱自在に取付けるための着脱具２８とから構成されている。
上下の着脱用帯片２６，２７ともに矩形形状に形成されており、一方（下）の着脱用帯片２６，２７は、その基端部２６ａ，２７ａが内側面部７の上下方向途中に縫着されており、他方（上）の着脱用帯片２６，２７は、その基端部２７ａが内側面部７の上部に縫着されている。上下の着脱用帯片２６，２７ともに収納体本体２の長手方向の同一位置に配置されている。
上下の着脱用帯片２６，２７のそれぞれの下面に、着脱具２８としての面ファスナの係止面２８ａと被係止面２８ｂが縫着等により全面的に設けられている。
【００３４】
上記構成において、収納体本体２をベルト５に装着する場合には、着脱手段６の面ファスナの係止面２８ａと被係止面２８ｂとの係止を外して着脱用帯片２６，２７をそれぞれの基端部２６ａ，２７ａ回りに回動させて、着脱用帯片２６，２７をベルト５の身側で重ねて面ファスナの係止面２８ａと被係止面２８ｂとを面で係止する。これによってベルト５に収納体本体２が着脱自在に取付けられる。この際、面ファスナは着脱用帯片２６，２７に全面的に設けられているから、面ファスナどうしを重ねる位置を調節することで、ベルト５に対する締付け程度を任意に調整することが可能である。しかも、着脱手段６は生地から形成されて面ファスナどうしを係止した場合にベルト５に隙間をもってこれを巻くことができるから、収納体本体２を、ベルト５に沿って移動させて、釣人３が使用し易い位置に移動させることができる。
【００３５】
収納体本体２をベルト５に装着した後に、収納体本体２に設けたスライドファスナ１３をそのスライダ１３ａを把持して開けることで、図３に示すように、まち面部１０をそのまち方向で二分するように開くことができるから、収納体本体２を大きく開放しておもり１５を取出したり収納したりできる。
【００３６】
ところで、鮎釣りでは釣人３は釣果を得るために頻繁に川を上流側・下流側へ移動したり浅場・深場を移動したりすることがあり、囮鮎の動作のために移動した釣場の条件に応じて仕掛けに組付けるおもり１５を、その重さの異なるものに交換し、あるいは取外す操作が少なからず行われる。そして釣果を得るためには、仕掛けの変更を短時間で行わなければならない場合が生じる。特に、深場に入っておもり１５が不要になる場合では、仕掛けから外したおもり１５を収納体本体２に短時間で収納する必要がある。
このような場合、仕掛けから外したおもり１５を、通過部１６の穴１８の上方から、例えば穴１８を形成している切込み２０，２１の交差部から弾性弁部２２，２３の弾性に抗して穴１８に押込むようにする。そうすると、切込み２０，２１が交差している通過部１６においては、他の部分に比べて弾性が低くなっているから、三角形の弾性弁部２２，２３が収納体本体２内に押込まれるように容易に撓んで、穴１８の交差部が押し広げられておもり１５が収納体本体２内に落ちることで収納される。穴１８は切込み２０，２１を交差させるようにして形成していることで、おもり１５の大きさや形状に応じて大きさや形状が自在に変化可能であるから、おもり１５を容易に収納することができる。
【００３７】
特に、釣人３が深場で釣りをする場合では、腰部４に装着したおもり収納体１（収納体本体２）が視認しにくい場合があるが、通過部１６はまち面部１０に段差面１７を有して設けられているから、釣人３が手指の接触感覚で通過部１６の存在位置を容易に認識することが可能である。このように通過部１６の存在位置を認識さえすれば、その中心付近に切込み２０，２１の交差部が存在することは分かっているから、釣人３は切込み２０，２１を形成する最も脆弱な部分である交差部におもり１５を押込むようにすることで、通過部１６を視認することなくおもり１５を収納体本体２に収納することが可能になる。
また、通過部１６はまち面部１０とは異なる別部材の弾性部材で形成されているから、手指が接触した際の感覚がまち面部１０とは異なるから、視認のみに頼る必要なくその存在を認識することが可能になる。
【００３８】
おもり１５が収納された後には、弾性弁部２２，２３はもとの状態、すなわち穴１８をほぼ閉じた状態に復帰するからその動作に伴うおもり１５の収納感覚（クリック感）が生じ、おもり１５が収納されたことを視認することなく知ることが可能になる。
【００３９】
また、収納体本体２が生地からなっているが、その柔軟性を補強部材２４で補われているから、例えば釣人３がおもり１５をまち面部１０の上部にある通過部１６から押込むようにして収納体本体２に収納するようにしても、その押込み力によって収納体本体２が大きく変形しておもり１５を収納しにくいという状態が回避される。
補強部材２４に硬質の樹脂製パイプを用いていることにより、補強部材２４を加工し易く、しかも必要な強度を得易い。
【００４０】
さらに、上記構成のように、まち面部１０のうち少なくとも底面部１１をメッシュ構成とすることにより、収納体本体２内に水が入ったとしても、この水が排除され易くなる。また、収納体本体２をメッシュ構成とすることで、その分だけ水流の抵抗を受けにくい。
【００４１】
本発明は上記実施形態に限定されるものではない。例えば、穴１８は二本の切込み２０，２１を交差させて形成しているが、二本の切込み２０，２１とは別に交差部を共通としてそれぞれの弾性弁部２２をニ分割するもう一本の切込みを形成するようにしてもよい。このようにすることで、通過部１６における交差部の弾性がさらに低下するから、その分だけおもり１５をさらに挿入し易くなる。しかしながら、切込みの本数を多くしすぎると、おもり１５の収納感覚（クリック感）に乏しくなることが考えられることから、切込みの本数は必要以上に設けないことが好ましい。
【００４２】
穴１８は切込み２０，２１によって形成したがこれに限定されるものではなく、例えば通過部１６の中央に円形の穴を形成することもできる。この場合の円形の穴の径は、使用するおもり１５（この場合、球状）の径に応じてしかもおもり１５の径に比べて小さい径とすることが好ましく、おもり１５を通過させ易くするために、穴の周囲を薄肉にしたり穴に対して放射状となる切込みを形成したりすることが考えられる。
【００４３】
通過部１６はまち面部１０の上面に縫着したが、まち面部１０の下面側に固着するようにしてもよい。何れにしても、まち面部１０と通過部１６との関係として段差等があれば、これを目安として通過部１６の存在を認識することが可能である。
【図面の簡単な説明】
【００４４】
【図１】本発明の実施形態を示す鮎釣り用のおもり収納体の使用状態を示す斜視図
【図２】同じく鮎釣り用のおもり収納体の単体平面図
【図３】同じく図２における中央縦断面図
【符号の説明】
【００４５】
１…      収納体、２…      収納体本体、３…釣人、４…腰部、５…          ベルト、６…      着脱手段、７…内側面部、８…  外側面部、１０…まち面部、１１…底面部、１２…補強用生地、１３…      スライドファスナ、１３ａ…スライダ、１４ａ，１４ｂ…テープ部、１６…通過部、１７…          段差面、１８…穴、２２，２３…      弾性弁部、２２ａ，２３ａ…基部、２４…補強部材、２５…パイプ部、２６，２７…着脱用帯片、２６ａ，２７ａ…基端部、２８…    着脱具、２８ａ…係止面、２８ｂ…被係止面
【図１】
2008173071.tif 000003
【図２】
2008173071.tif 000004
【図３】
2008173071.tif 000005